(57)【要約】 【課題】  パチンコ機の組立て時などにおける取扱いを容易にするとともに、電磁駆動源が発生する電磁力による影響少なく不正検出を行うことができるパチンコ機の可変入賞装置を提供する。【解決手段】  入賞口形成部２の取付基板２３と電磁駆動源３のソレノイドコイル４４との前後方向Ａの間に、磁気センサ６が配置される。この磁気センサ６は、センサ保持部７に保持される。センサ保持部７は、入賞口形成部２、電磁駆動源３および駆動力伝達機構部４をそれぞれ支持して一体化する支持部５に設けられ、詳しくは支持部５において取付基板２３の後方でかつ駆動力伝達機構部４の側方に設けられる。このようなセンサ保持部７は、磁気センサ６を支持部５の外方で着脱可能に保持する。【選択図】      図１
2008220875.tif 000002
【特許請求の範囲】
【請求項１】
遊技盤の前面に取付けられる取付基板と、前記取付基板の前方で前記取付基板に支持されて入賞口を形成する可動片と、を有し、前記可動片が駆動されることによって前記入賞口の大きさが変化する入賞口形成部と、
前記入賞口形成部の後方に配置され、電磁力発生部および駆動力取出軸を有し、前記電磁力発生部への通電で発生する電磁力によって前記駆動力取出軸を作動させる電磁駆動源と、
前記入賞口形成部の前記可動片と前記電磁駆動源の前記駆動力取出軸とを作動連結する駆動力伝達機構部と、
前記入賞口形成部、前記電磁駆動源および前記駆動力伝達機構部をそれぞれ支持して一体化する支持部と、
前記入賞口形成部の前記取付基板と前記電磁駆動源の前記電磁力発生部との前後方向の間に配置され、磁界を検出する磁気センサと、
前記支持部において前記取付基板の後方でかつ駆動力伝達機構部の側方に設けられ、前記磁気センサを前記支持部の外方で着脱可能に保持するセンサ保持部とを含むことを特徴とするパチンコ機の可変入賞装置。
【請求項２】
前記遊技盤に形成される遊技領域に対する遊技球の流入は、前記遊技領域の左上部から行われるようになっており、前記遊技領域において左右方向の中央でかつ上下方向の下方に前記入賞口形成部が配置され、
前記磁気センサは、前記遊技盤の前面側からの正面視で前記駆動力伝達機構部の左側方に配置されることを特徴とする請求項１に記載のパチンコ機の可変入賞装置。
【発明の詳細な説明】
【技術分野】
【０００１】
本発明は、パチンコ機の可変入賞装置に関する。
【背景技術】
【０００２】
パチンコ機に対する不正行為として、磁石を用いて、遊技球を入賞口などに誘導するという行為がある。特許文献１には、このような不正行為を防ぐための技術が開示される。特許文献１に開示される技術では、入賞口の近傍に、磁気センサであるリードスイッチが設けられ、リードスイッチによる検出結果に基づいて、警報器から警報を発生させる。
【０００３】
【特許文献１】特開２００５−１３７８７７号公報
【発明の開示】
【発明が解決しようとする課題】
【０００４】
（１）パチンコ機の可変入賞装置は、可動片が駆動されることで、入賞口の大きさが変化する。このようなパチンコ機の可変入賞装置では、可動片を駆動させるための駆動源として、電磁駆動源である電磁ソレノイドが用いられる。電磁ソレノイドは、駆動力取出軸であるプランジャを駆動させるために、電磁力発生部であるソレノイドコイルが、通電状態と非通電状態とに切換えられる。ソレノイドコイルを通電状態にすると、電磁ソレノイドの周囲には磁界が発生する。したがって前記特許文献１に開示される技術を、可変入賞装置に用いた場合、電磁ソレノイドが発生する電磁力の影響による誤検出が生じるおそれがある。
【０００５】
（２）前記特許文献１に開示される技術では、リードスイッチを遊技盤に別途に取付けるようにしているので、パチンコ機の組立て時における取扱いが面倒であるという問題がある。
【０００６】
ここで、前記（２）の問題を解決するために、可変入賞装置とリードスイッチとを一体化したユニットとして準備しておくことが考えられる。しかしながら可変入賞装置とリードスイッチとを一体化する場合、前記（１）の問題を考慮して、特に電磁ソレノイドとリードスイッチとの位置関係を好適に設定しなければならない。
【０００７】
従来においては、可変入賞装置とリードスイッチとを一体化することは公知ではなく、したがって当然ながら、このような構成において、電磁ソレノイドとリードスイッチとの好適な位置関係について言及したものはない。
【０００８】
本発明の目的は、パチンコ機の組立て時などにおける取扱いを容易にするとともに、電磁駆動源が発生する電磁力による影響少なく不正検出を行うことができるパチンコ機の可変入賞装置を提供することである。
【課題を解決するための手段】
【０００９】
上記目的を達成するために請求項１の発明では、入賞口形成部の取付基板と電磁駆動源の電磁力発生部との前後方向の間に、磁気センサが配置される。この磁気センサは、センサ保持部に保持される。センサ保持部は、入賞口形成部、電磁駆動源および駆動力伝達機構部をそれぞれ支持して一体化する支持部に設けられ、詳しくは支持部において取付基板の後方でかつ駆動力伝達機構部の側方に設けられる。このようなセンサ保持部は、磁気センサを支持部の外方で着脱可能に保持する。
【００１０】
本発明によれば、支持部にはセンサ保持部が設けられ、このセンサ保持部によって磁気センサが保持されるので、磁気センサを遊技盤に別途に取付けるのに比べて、パチンコ機の組立て時などにおける取扱いを容易にすることができる。センサ保持部は、支持部において取付基板の後方でかつ駆動力伝達機構部の側方に設けられるので、たとえば既存の可変入賞装置の構造、特に入賞口形成部および駆動力伝達機構部の構造を大きく変更することなく、可変入賞装置に磁界検出機能を付加することができる。またセンサ保持部は、磁気センサを支持部の外方で着脱可能に保持するので、たとえば磁気センサに不具合が発生しても、可変入賞装置を大きく分解することなく、磁気センサを着脱して、磁気センサを交換することができる。したがって磁気センサを可変入賞装置に一体化したことによるメンテナンス面での問題を解消することができる。さらに磁気センサは、電磁力発生部よりも前方、詳しくは電磁力発生部に対して前方に離間した位置に配置されているので、電磁力発生部が発生する電磁力の影響少なく不正検出を行うことができる。
【００１１】
ここで、一般的なパチンコ機では、遊技盤の遊技領域に対する遊技球の流入が遊技領域の左上部から行われるようになっている。またパチンコ機において不正の対象となり易い可変入賞装置、たとえば１種タイプおよび２種タイプの始動入賞装置は、遊技領域において左右方向の中央寄りでかつ上下方向の下方寄りに配置されることが多い。
【００１２】
このようなパチンコ機において、磁石を用いた不正の実態を調査すると、遊技領域の左側に遊技球を集中させて、可変入賞装置に対して左側から流入しようとする遊技球を磁石でコントロールするという事例が多いことが判った。
【００１３】
その理由の１つとして、本件発明者は、次のようなことを推定した。すなわち、可変入賞装置へ右側から流入しようとする遊技球は、主に強く発射されたものであって流下する勢いが強く、よって不正者が磁石でコントロールし難いのに対して、可変入賞装置へ左側から流入しようとする遊技球は、主に弱く発射されたものであって流下する勢いが弱く、よって不正者が磁石でコントロールし易いという理由である。
【００１４】
そこで、請求項２の発明では、遊技盤の前面側からの正面視で駆動力伝達機構部の左側方に、磁気センサが配置される。
【発明を実施するための最良の形態】
【００１５】
図１は、本発明の実施の一形態のパチンコ機の可変入賞装置１を示す斜視図である。本実施の形態のパチンコ機の可変入賞装置（以下、単に「可変入賞装置」という）１は、大当たりという遊技者に有利な状態になったときに一度に多くの入賞球が得られるパチンコ機において、始動入賞装置として用いられる。可変入賞装置１は、入賞口形成部２と、電磁駆動源３と、駆動力伝達機構部４（図５および図６参照）と、支持部５と、磁気センサ６と、センサ保持部７とを含む。
【００１６】
図２は、パチンコ機の遊技盤１０の正面図である。遊技盤１０は、ガイドレール１１に囲まれる遊技領域１２を有する。遊技領域１２に対する遊技球の流入は、遊技領域１２の左上部から行われるようになっている。遊技領域１２に流入した遊技球は、遊技領域１２を下方に流下する。
【００１７】
遊技領域１２の中央部には、図柄および数字などが変動表示される演出表示装置１３が設けられる。遊技領域１２の下部には、始動入賞口が形成される始動入賞装置１４と、始動入賞装置１４の下方に配置され、大入賞口が形成される大入賞装置１５とが設けられる。始動入賞装置１４は、遊技球が入り難い状態と遊技球が入り易い状態とに切換え可能に構成される。大入賞装置１５は、遊技球が入らない状態と遊技球が入る状態とに切換え可能に構成される。遊技領域１２には、通過チャッカー１６がさらに設けられる。
【００１８】
始動入賞装置１４の始動入賞口に遊技球が入ると、演出表示装置１３に表示される図柄および数字などの変動が開始される。この後、図柄および数字などの変動が停止される。このときの図柄および数字などの組み合わせが、特定の組み合わせ、たとえば「７，７，７」になった場合、すなわち大当たりになった場合、大入賞装置１５は、遊技球が入らない状態から遊技球が入る状態に切換わり、遊技球が入る状態が所定回数だけ繰り返されて一度に多くの入賞球を得ることができる。また通過チャッカー１６を遊技球が通過すると、始動入賞装置１４は、遊技球が入り難い状態から遊技球が入り易い状態に切換わり、遊技球が入り易い状態が数秒間だけ維持される。
【００１９】
図３は、可変入賞装置１の正面図である。図４は、図３の切断面線Ｓ４−Ｓ４から見た断面図である。前記入賞口形成部２は、非磁性材料から成る。入賞口形成部２は、一対の可動片２１ａ，２１ｂと、球受枠２２と、取付基板２３とを有する。
【００２０】
各可動片２１ａ，２１ｂは、取付基板２３の前方で取付基板２３に支持される。各可動片２１ａ，２１ｂは、前後方向Ａおよび上下方向Ｂに関して同一の位置に配置され、かつ、左右方向Ｃに離間して配置される。各可動片２１ａ，２１ｂは、前後方向Ａに延びる角変位軸線Ｌ１ａ，Ｌ１ｂまわりに角変位可能に設けられる基部２４と、基部２４に連なり、前記角変位軸線Ｌ１ａ，Ｌ１ｂから離反するように延びる延在部２５とを有する。各可動片２１ａ，２１ｂの基部２４の角変位軸線Ｌ１ａ，Ｌ１ｂは、上下方向Ｂに関する位置が同一であり、かつ、左右方向Ｃに関して離間する。各可動片２１ａ，２１ｂの延在部２５の遊端部２６は、始動入賞口となる入賞口２７を形成する。
【００２１】
球受枠２２は、各可動片２１ａ，２１ｂの前方を覆う前板部２８と、前板部２８の下部に連なり、各可動片２１ａ，２１ｂの下方を覆う底部２９とを有する。取付基板２３は、各可動片２１ａ，２１ｂの後方を覆う。取付基板２３には、球受枠２２の底部２９が連結される。取付基板２３には、遊技球が通過する通過孔３０が形成される。取付基板２３の通過孔３０は、入賞口２７に連通する。取付基板２３には、入賞口２７に入った遊技球を通過孔３０に案内する案内片３１が形成される。取付基板２３は、遊技盤１０の前面３２に取付けられる。
【００２２】
球受枠２２の前板部２８には、後方に突出する一対のピンが形成される。各ピンは、前記角変位軸線Ｌ１ａ，Ｌ１ｂと同軸である。各可動片２１ａ，２１ｂの基部２４には、ピンが挿通される挿通孔が形成される。各可動片２１ａ，２１ｂの基部２４の挿通孔に球受枠２２の前板部２８の各ピンが挿通されることによって、各可動片２１ａ，２１ｂが球受枠２２に対して前記角変位軸線Ｌ１ａ，Ｌ１ｂまわりに角変位可能となる。
【００２３】
このような入賞口形成部２は、各可動片２１ａ，２１ｂが駆動されること、具体的には各可動片２１ａ，２１ｂが前記角変位軸線Ｌ１ａ，Ｌ１ｂまわりに角変位駆動されることによって、入賞口２７の大きさが変化する。これによって入賞口形成部２は、遊技球が入り難い状態（以下「第１状態」という）と遊技球が入り易い状態（以下「第２状態」という）とに切換えられる。第１状態では、各可動片２１ａ，２１ｂは、その延在部２５が互いに近接するように、起立する。第２状態では、各可動片２１ａ，２１ｂは、その延在部２５が互いに離反するように、傾倒する。
【００２４】
可変入賞装置１は、前後方向Ａに垂直な投影面に平行投影したとき、後述の電磁駆動源３、駆動力伝達機構部４、支持部５、磁気センサ６およびセンサ保持部７の各投影領域が、入賞口形成部２の取付基板２３の投影領域に含まれるように、構成される。このように可変入賞装置１が構成されるので、可変入賞装置１を小形化することができ、既存の遊技盤１０に好適に取付けることができる。
【００２５】
前記電磁駆動源３は、入賞口形成部２の後方に配置される。本実施の形態では、電磁駆動源３は、入賞口形成部２の入賞口２７に対して遊技盤１０の前面側からの正面視で右にずれた位置に配置される。電磁駆動源３は、入賞口形成部２の各可動片２１ａ，２１ｂを、電磁力による駆動力によって駆動させる。電磁駆動源３は、電磁ソレノイドによって実現される。本実施の形態では、電磁駆動源３は、いわゆるオープンフレームタイプの電磁ソレノイドによって実現される。
【００２６】
電磁駆動源３は、前後方向Ａに進退可能に設けられる駆動力取出軸であるプランジャ４１と、プランジャ４１が挿入される挿入孔４２が形成されるボビン４３と、ボビン４３に巻回される電磁力発生部であるソレノイドコイル４４と、ボビン４３に固定され、ソレノイドコイル４４を外方から覆うフレーム４５と、プランジャ４１を元の位置に戻すための戻しばね４６とを有する。
【００２７】
プランジャ４１は、磁性材料から成る。プランジャ４１は、プランジャ本体４７と、プランジャ本体４７の先端部に連なり、プランジャ本体４７と同軸に設けられる頭部４８とを有する。頭部４８の直径は、プランジャ本体４７の直径よりも大きい。ボビン４３の挿入孔４２には、プランジャ本体４７の後端部寄りの部分４７ａが挿入される。
【００２８】
フレーム４５は、磁性材料から成る。フレーム４５は、ソレノイドコイル４４による磁束の経路の一部を形成する。フレーム４５は、ソレノイドコイル４４の前方を覆う第１部材４９と、第１部材４９に連結され、ソレノイドコイル４４の後方およびソレノイドコイル４４の側方を覆う第２部材５０とを有する。第１部材４９には、プランジャ４１が挿通される挿通孔５１が形成される。第２部材５０は、上方に臨んで開放され、かつ、下方に臨んで開放される。
【００２９】
戻しばね４６は、圧縮コイルばねによって実現される。戻しばね４６には、プランジャ４１のプランジャ本体４７が挿通される。戻しばね４６は、プランジャ４１の頭部４８とフレーム４５の第１部材４９との間に介在する。このような戻しばね４６は、プランジャ４１をフレーム４５に対して前方に付勢する。
【００３０】
このような電磁駆動源３では、ソレノイドコイル４４への通電で発生する電磁力によってプランジャ４１を作動させる。ソレノイドコイル４４が非通電状態から通電状態に切換えられると、ソレノイドコイル４４が励磁され、これによってプランジャ４１は、戻しばね４６の付勢力に抗して後退する。ソレノイドコイル４４が通電状態から非通電状態に切換えられると、ソレノイドコイル４４が消磁され、これによってプランジャ４１は、戻しばね４６の付勢力によって前進する。
【００３１】
図５は、駆動力伝達機構部４の斜視図であり、図５（ａ）は第１状態を示し、図５（ｂ）は第２状態を示す。図６は、駆動力伝達機構部４の側面図であり、図６（ａ）は第１状態を示し、図６（ｂ）は第２状態を示す。前記駆動力伝達機構部４は、入賞口形成部２と電磁駆動源３との間に介在し、入賞口形成部２の可動片２１ａ，２１ｂと電磁駆動源３のプランジャ４１とを作動連結する。このような駆動力伝達機構部４は、電磁駆動源３の駆動力を入賞口形成部２の可動片２１ａ，２１ｂに伝達する。
【００３２】
駆動力伝達機構部４は、非磁性材料から成る。駆動力伝達機構部４は、電磁駆動源３に連結され、前後方向Ａにスライド変位可能に設けられるスライド部材６１と、スライド部材６１と各可動片２１ａ，２１ｂとに連結され、左右方向Ｃに延びる角変位軸線Ｌ２まわりに角変位可能に設けられる角変位部材６２とを有する。
【００３３】
スライド部材６１は、プランジャ４１の頭部４８に連結される連結部６３と、連結部６３の上部に連なり、前方に延びる一対の延在部６４ａ，６４ｂとを有する。スライド部材６１の各延在部６４ａ，６４ｂは、左右方向Ｃに離間する。角変位部材６２は、前記角変位軸線Ｌ２まわりに角変位可能に設けられる基部６５と、基部６５に連なり、前方に延びる一対の延在部６６ａ，６６ｂとを有する。角変位部材６２の各延在部６６ａ，６６ｂは、左右方向Ｃに離間する。
【００３４】
スライド部材６１の各延在部６４ａ，６４ｂには、上下方向Ｂに貫通する係合孔６７が形成される。角変位部材６２の基部６５の上部には、スライド部材６１の各延在部６４ａ，６４ｂの係合孔６７に係合する係合突起６８ａ，６８ｂが形成される。角変位部材６２の基部６５の各係合突起６８ａ，６８ｂがスライド部材６１の各延在部６４ａ，６４ｂの係合孔６７に係合することによって、スライド部材６１から角変位部材６２に駆動力を伝達することができる。
【００３５】
各可動片２１ａ，２１ｂの基部２４には、後方に突出する作動ピン６９が形成される。各作動ピン６９は、各可動片２１ａ，２１ｂの基部２４の角変位軸線Ｌ１ａ，Ｌ１ｂ間に配置される。各作動ピン６９は、取付基板２３の通過孔３０を介して、取付基板２３の後方に突出する。角変位部材６２の各延在部６６ａ，６６ｂの遊端部には、作動ピン６９に係合する係合凹所７０が形成される。各可動片２１ａ，２１ｂの基部２４の作動ピン６９が角変位部材６２の各延在部６６ａ，６６ｂの遊端部の係合凹所７０に係合することによって、角変位部材６２から各可動片２１ａ，２１ｂに駆動力を伝達することができる。
【００３６】
第１状態において、電磁駆動源３のプランジャ４１が後退すると、スライド部材６１が後退する。スライド部材６１が後退すると、角変位部材６２が角変位して角変位部材６２の各延在部６６ａ，６６ｂの遊端部が上昇する。角変位部材６２の各延在部６６ａ，６６ｂの遊端部が上昇すると、各作動ピン６９が上昇され、これによって各可動片２１ａ，２１ｂが角変位して各可動片２１ａ，２１ｂが傾倒して、第２状態となる。
【００３７】
第２状態において、電磁駆動源３のプランジャ４１が前進すると、スライド部材６１が前進する。スライド部材６１が前進すると、角変位部材６２が角変位して角変位部材６２の各延在部６６ａ，６６ｂの遊端部が下降する。角変位部材６２の各延在部６６ａ，６６ｂの遊端部が下降すると、各作動ピン６９が下降され、これによって各可動片２１ａ，２１ｂが角変位して各可動片２１ａ，２１ｂが起立して、第１状態となる。
【００３８】
図４を再び参照して、前記支持部５は、入賞口形成部２、電磁駆動源３および駆動力伝達機構部４をそれぞれ支持して一体化する。支持部５は、非磁性材料から成る。支持部５は、駆動力伝達機構部４を収容する。支持部５は、駆動力伝達機構部４のスライド部材６１をスライド変位可能に支持し、駆動力伝達機構部４の角変位部材６２を角変位可能に支持する。支持部５の前方の端部７１には、取付基板２３が連結される。支持部５の後方の端部７２には、電磁駆動源３のフレーム４５が連結される。
【００３９】
支持部５の下部には、遊技球を検出する検出スイッチ７３が設けられる。支持部５の下部には、検出スイッチ７３を通過した遊技球が排出される排出孔７４が形成される。支持部５の内部には、遊技機の通路が形成される。遊技球の通路は、取付基板２３の通過孔３０に連通するとともに、支持部５の下部の排出孔７４に連通する。
【００４０】
図１を再び参照して、前記磁気センサ６は、磁界を検出する磁界検出素子と、磁界検出素子を収容するケーシングとを有する。磁界検出素子は、リードスイッチによって実現される。一例として述べると、リードスイッチは、磁性材料から成る一対のリード片と、各リード片の接点を包囲して封止するガラス管とを有する。各リード片が磁界によって磁化されると、磁力によって各リード片の接点が閉じてオン状態となる。磁界が除かれると、リード片の弾性によって各リード片の接点が開いてオフ状態となる。ケーシングは、非磁性材料から成る。ケーシングは、長手形状に形成される。ケーシングの長手方向は、ガラス管内で各リード片が延びる方向と略平行である。
【００４１】
磁界検出素子による検出結果は、検出回路に与えられる。検出回路は、磁界検出素子による検出結果に基づいて、磁石の有無を判定する。本実施の形態では、リードスイッチがオフ状態であると、磁石が無いと判定し、リードスイッチがオン状態になると、磁石が有ると判定する。検出回路による判定結果は、制御回路に与えられる。制御回路は、検出回路によって磁石が有ると判定されると、たとえば警報器から警報を発生させる。これによって磁石を用いた不正行為を防止することができる。
【００４２】
磁気センサ６は、入賞口形成部２の取付基板２３と電磁駆動源３のソレノイドコイル４４との前後方向Ａの間に配置される。本実施の形態では、磁気センサ６は、遊技盤１０の前面側からの正面視で駆動力伝達機構部４の左側方に配置される。磁気センサ６は、そのケーシングの長手方向が前後方向Ａと一致するようにして配置される。磁気センサ６のケーシングは、入賞口形成部２の取付基板２３と電磁駆動源３のソレノイドコイル４４との前後方向Ａの間に収まる。
【００４３】
前記センサ保持部７は、磁気センサ６を支持部５の外方で着脱可能に保持する。センサ保持部７は、支持部５において取付基板２３の後方でかつ駆動力伝達機構部４の側方に設けられる。本実施の形態では、センサ保持部７は、支持部５において取付基板２３の後方でかつ遊技盤１０の前面側からの正面視で駆動力伝達機構部４の左側方に設けられる。
【００４４】
センサ保持部７は、支持部５の左上部７５に連なり、磁気センサ６を下方および右方から支持する支持台と、磁気センサ６を上方から係止する上方係止片７６と、磁気センサ６を左方から係止する左方係止片７８とを有する。左方係止片７８には、磁気センサ６を後方から係止する後方係止爪７８が形成される。磁気センサ６は、取付基板２３によって前方から係止される。
【００４５】
図７は、磁気センサ６の検出領域８１を模式的に示す側面図である。磁気センサ６の検出領域８１に磁石が存在するとき、検出回路によって、磁石が有ると判定される。このような磁気センサ６の検出領域８１は、磁石の強さが大きいほど、大きくなる。磁気センサ６の検出領域８１は、磁気センサ６の前方寄りの端部８２から前方に向かうにつれて、前後方向Ａに垂直な断面の面積が大きくなり、前記断面の面積が最大になった後でさらに前方に向かうにつれて、前記断面の面積が小さくなる。
【００４６】
遊技盤１０の前方には、ガラスから成る透明板８３が、前後方向Ａに垂直に設けられる。透明板８３の前面８４が、磁気センサ６の検出領域８１よりも前方に位置する場合、透明板８３の前面８４上に磁石があっても、磁石が無いと判定されてしまう。透明板８３の前面８４が、磁気センサ６の検出領域８１の前方寄りに位置する場合、透明板８３の前面８４上での検出範囲を十分に確保することができない。透明板８３の前面８４が、磁気センサ６の検出領域８１において前後方向Ａ中央付近に位置する場合、透明板８３の前面８４上での検出範囲を大きく確保することができる。
【００４７】
透明板８３と遊技盤１０との間には、少なくとも遊技球が通過可能な隙間が形成される。この点を踏まえて、磁気センサ６は、入賞口形成部２の取付基板２３の後方でかつ入賞口形成部２の取付基板２３に近接する位置に配置される。磁気センサ６の配置位置は、入賞口形成部２の取付基板２３の後方であるので、磁気センサ６が遊技球の転動を妨げることがない。しかも磁気センサ６の配置位置は、入賞口形成部２の取付基板２３に近接する位置であるので、透明板８３の前面８４が、磁気センサ６の検出領域８１において前後方向Ａ中央付近に位置することとなり、透明板８３の前面８４上での検出範囲を大きく確保することができる。
【００４８】
図８は、磁気センサ６と電磁駆動源３との位置関係を説明するための平面図である。図９は、磁気センサ６と電磁駆動源３との位置関係を説明するための側面図である。電磁駆動源３のソレノイドコイル４４を通電状態にすると、電磁駆動源３の周囲には磁界が発生する。電磁駆動源３に近接した位置に磁気センサ６が配置される場合、電磁駆動源３が発生する電磁力による影響で、誤検出が生じるおそれがある。
【００４９】
磁気センサ６のケーシングの長手方向を電磁駆動源３のプランジャ４１の軸線方向と一致させ、この状態で、磁気センサ６を電磁駆動源３に前方から近付ける。磁気センサ６の電磁駆動源３側の端部８６には、基準点Ｐが設定される。この基準点Ｐがプランジャ４１の近傍領域８７に到達すると、電磁駆動源３による電磁力による影響で、検出回路によって、磁石が有ると判定されてしまう。
【００５０】
この点を踏まえて、磁気センサ６の電磁駆動源３側の端部が電磁駆動源３のプランジャ４１の近傍領域８７から外れるように、磁気センサ６と電磁駆動源３との位置関係が決定される。したがって電磁駆動源３による電磁力による影響を少なくすることができる。
【００５１】
図１０は、電磁駆動源３による磁気センサ６の検出範囲への影響を示す正面図であり、図１０（ａ）は磁石のＮ極を透明板８３の前面８４に当てる場合を示し、図１０（ｂ）は磁石のＳ極を透明板８３の前面８４に当てる場合を示す。磁石による磁界と電磁駆動源３による磁界とは合成される。これによって、電磁駆動源３による磁界が発生している場合とそうでない場合とで、透明板８３の前面８４上での検出範囲が変化する。
【００５２】
磁石のＮ極を透明板８３の前面８４に当てる場合、図１０（ａ）に示すように、ソレノイドコイル４４が通電状態のときは、実線９１で示される外側の円で囲まれる範囲が検出範囲となり、ソレノイドコイル４４が非通電状態のときは、破線９２で示される内側の円で囲まれる範囲が検出範囲となる。
【００５３】
磁石のＳ極を透明板８３の前面８４に当てる場合、図１０（ｂ）に示すように、ソレノイドコイル４４が通電状態のときは、実線９３で示される内側の円で囲まれる範囲が検出範囲となり、ソレノイドコイル４４が非通電状態のときは、破線９４で示される外側の円で囲まれる範囲が検出範囲となる。
【００５４】
このような検出範囲への影響を考慮して、電磁駆動源３は、入賞口形成部２の取付基板２３から後方に離間して設けられる。これによって電磁駆動源３が検出範囲に与える影響を抑えることができる。
【００５５】
以上のような本実施の形態によれば、支持部５にはセンサ保持部７が設けられ、このセンサ保持部７によって磁気センサ６が保持される。したがって磁気センサ６を遊技盤１０に別途に取付けるのに比べて、パチンコ機の組立て時などにおける取扱いを容易にすることができる。
【００５６】
センサ保持部７は、支持部５において取付基板２３の後方でかつ駆動力伝達機構部４の側方に設けられる。これによって、たとえば既存の可変入賞装置の構造、特に入賞口形成部２および駆動力伝達機構部４の構造を大きく変更することなく、既存の可変入賞装置に磁界検出機能を付加することができる。
【００５７】
またセンサ保持部７は、磁気センサ６を支持部５の外方で着脱可能に保持する。これによって、たとえば磁気センサ６に不具合が発生しても、可変入賞装置１を大きく分解することなく、磁気センサ６を着脱して、磁気センサ６を交換することができる。したがって磁気センサ６を可変入賞装置１に一体化したことによるメンテナンス面での問題を解消することができる。
【００５８】
さらに磁気センサ６は、電磁駆動源３のソレノイドコイル４４よりも前方、詳しくはソレノイドコイル４４に対して前方に離間した位置に配置されている。したがってソレノイドコイル４４が発生する電磁力の影響少なく不正検出を行うことができる。
【００５９】
さらに入賞口２７に対して正面視で左にずれた位置に、磁気センサ６が配置されるうえに、入賞口２７に対して正面視で右にずれた位置に、電磁駆動源３が配置される。これによって磁気センサ６とソレノイドコイル４４との間の距離を大きく確保することができる。したがってソレノイドコイル４４が発生する電磁力の影響をさらに少なくすることができる。
【００６０】
パチンコ機では、遊技盤１０の遊技領域１２に対する遊技球の流入が遊技領域１２の左上部から行われるようになっている。不正行為の対象となり易い可変入賞装置１は、遊技領域１２において左右方向Ｃの中央寄りでかつ上下方向Ｂの下方寄りに配置される。このようなパチンコ機に対する磁石を用いた不正行為には、遊技領域１２の左側に遊技球を集中させて、可変入賞装置１に対して左側から流入しようとする遊技球を磁石でコントロールするという事例が多い。
【００６１】
この点を踏まえて、遊技盤１０の前面側からの正面視で駆動力伝達機構部４の左側方に、磁気センサ６が配置される。これによって磁石を用いた不正を確実に検出して、この不正を確実に防ぐことができる。
【００６２】
前述の実施の形態は、本発明の例示に過ぎず、本発明の範囲内において構成を変更することができる。たとえば、磁界検出素子として、ホール素子および磁気抵抗素子などの磁電変換素子が用いられてもよい。本発明は、大入賞装置にも適用することができる。
【００６３】
上記実施形態から把握できる技術的思想について以下に記載する。
遊技盤の前面に取付けられる取付基板と、前記取付基板の前方で前記取付基板に支持されて入賞口を形成する可動片と、を有し、前記可動片が駆動されることによって前記入賞口の大きさが変化する入賞口形成部と、
前記入賞口形成部の後方に配置され、電磁力発生部および駆動力取出軸を有し、前記電磁力発生部への通電で発生する電磁力によって前記駆動力取出軸を作動させる電磁駆動源と、
前記入賞口形成部の前記可動片と前記電磁駆動源の前記駆動力取出軸とを作動連結する駆動力伝達機構部と、
前記入賞口形成部、前記電磁駆動源および前記駆動力伝達機構部をそれぞれ支持して一体化する支持部と、
磁界を検出する磁気センサと、
前記支持部に設けられ、前記磁気センサを着脱可能に保持するセンサ保持部とを含むことを特徴とするパチンコ機の可変入賞装置。
【００６４】
このようにすれば、支持部にはセンサ保持部が設けられ、このセンサ保持部によって磁気センサが保持されるので、磁気センサを遊技盤に別途に取付けるのに比べて、パチンコ機の組立て時などにおける取扱いを容易にすることができる。
【図面の簡単な説明】
【００６５】
【図１】本発明の実施の一形態のパチンコ機の可変入賞装置１を示す斜視図。
【図２】パチンコ機の遊技盤１０の正面図。
【図３】可変入賞装置１の正面図。
【図４】図３の切断面線Ｓ４−Ｓ４から見た断面図。
【図５】駆動力伝達機構部４の斜視図。
【図６】駆動力伝達機構部４の側面図。
【図７】磁気センサ６の検出領域８１を模式的に示す側面図。
【図８】磁気センサ６と電磁駆動源３との位置関係を説明するための平面図。
【図９】磁気センサ６と電磁駆動源３との位置関係を説明するための側面図。
【図１０】電磁駆動源３による磁気センサ６の検出範囲への影響を示す正面図。
【符号の説明】
【００６６】
１…パチンコ機の可変入賞装置、２…入賞口形成部、３…電磁駆動源、４…駆動力伝達機構部、６…磁気センサ、７…センサ保持部
【図１】
2008220875.tif 000003
【図２】
2008220875.tif 000004
【図３】
2008220875.tif 000005
【図４】
2008220875.tif 000006
【図５】
2008220875.tif 000007
【図６】
2008220875.tif 000008
【図７】
2008220875.tif 000009
【図８】
2008220875.tif 000010
【図９】
2008220875.tif 000011
【図１０】
2008220875.tif 000012